(57)【特許請求の範囲】
【請求項１】
対向する第１の表面と第２の表面を有するとともに第１の表面内の一部に撮像面を有する撮像素子と、
被写体からの光像を前記撮像素子の撮像面で結像させるための光学系と、
前記撮像素子に電気的に接続されかつ前記撮像素子の撮像面が露出する開口部を有するフレキシブル基板と、
前記光学系に直接当接する第１の当接部と、前記第１の表面に対向する第３の表面と、前記第３の表面から突出する２つの第２の当接部とを有する支持手段とを有し、
前記第２の当接部は、前記開口部に進入して前記第１の表面に直接当接し、前記フレキシブル基板が、前記第１の表面と前記第３の表面との間に位置して接着材により前記支持手段に固定されることを特徴とする撮像装置。
【請求項２】
前記撮像装置は光学系保持部材を更に含み、前記光学系が前記光学系保持部材と前記支持手段との間に挟持されて固定されるように、前記光学保持部材が前記光学系と前記支持手段とに係合することを特徴とする請求項１に記載の撮像装置。
【請求項３】
前記撮像装置は撮像素子保持手段を更に含み、前記撮像素子が前記撮像素子保持手段と前記支持手段との間に挟持されるように、前記撮像素子保持手段が前記第２の表面と前記支持手段とに係合することを特徴とする請求項１に記載の撮像装置。
【請求項４】
前記支持手段と前記フレキシブル基板と前記撮像素子保持手段は接着材により互いに固定され、前記接着材が、前記第２の当接部と前記第２の当接部に当接する前記第１の面とを除く部分に塗布されることを特徴とする請求項３に記載の撮像装置。
【発明の詳細な説明】
【０００１】
【発明の属する技術分野】
本発明は、光学系の合焦調整機構を必要としない撮像装置の構成に関する。
【０００２】
【従来の技術】
図７は従来の小型撮像装置の構成を示す。図７において、２０はレンズ、２１は前記レンズ２０を保持するレンズバレル、２１ａはネジ部、２２は後絞り手段、２３はレンズバレルを保持するレンズホルダ、２３ａはネジ部、２４は赤外線カットフィルタ、２５は撮像素子、２５ａは撮像素子２５における有効画素領域、２５ｂはボンディングワイヤ、２５ｃはリード、２６は基板である。
【０００３】
このような従来の撮像装置を組み立てる際に生じる合焦性能のばらつきについて以下に述べる。どのくらい正確に焦点が合うかは、図７のＺ方向におけるレンズ２０と撮像素子２５との間の距離の誤差により決まる。合焦性能のばらつきの原因には以下のようなものがある。すなわち、レンズ２０とレンズバレル２１との間の取り付け誤差、レンズ２０の寸法のばらつきによるバックフォーカス（像点距離、以後Ｂｆと称する）のばらつき、レンズバレル２１の寸法のばらつき、赤外線カットフィルタ２４の厚みのばらつき、レンズホルダ２３の寸法のばらつき、Ｚ方向における有効画素領域２５ａの位置のばらつき、撮像素子２５と基板２６との取り付け位置のばらつきなどである。
【０００４】
図７において、ネジ部２１ａとネジ部２３ａを介して、レンズバレル２１とレンズホルダ２３とを嵌合させる。レンズバレル２１をレンズホルダ２３に対して回転させると、レンズバレル２１をレンズホルダ２３に対してＺ方向に移動させることができる。これにより、レンズ２０と有効画素領域２５ａとの間の距離を調節して、光学系を正確に合焦させることで、上記の種々の寸法誤差による合焦性能のばらつきを吸収する。このような従来技術による撮像装置では部品点数が多い。また、量産時には、レンズバレル２１をレンズホルダに２３に取り付けた後、一台ずつ個別に焦点の調整（以後焦点調整と呼ぶ）をしなければならないという問題があった。
【０００５】
図８は、別の従来技術による撮像装置（特開平９−２３２５４８）の一例を示す。この撮像装置では、各構成部材の取り付け精度を上げることで焦点調整の作業をしなくてすむようにしている。図８において、３０は絞り板、３０ａは入射孔（絞り孔）、３１は赤外線フィルタ、３２は支持部材、３２ａは絞り板用の位置決め部、３２ｂはレンズ用の位置決め部、３２ｃは撮像素子用の位置決め部、３３はレンズ、３５は撮像素子、３５ａは有効画素領域、３５ｂはボンディングワイヤ、３６はリード、３７は接着材である。
【０００６】
また、光学部材の支持部材３２とリード３６とを一体成形で製作する必要がある。支持部材３６はアクリル、ＰＣ（ポリカーボネイド）、ＡＢＳ（アクリロニトリル・ブタジエン・スチレン共重合体）、ＰＢＴ（ポリブチレンテレフタレート）、合成樹脂などで形成することが多い。また、リード３６は導電性の高い金属で形成する必要がある。しかし、支持部材３２とリード３６のように物理的特性が著しく異なる部材を一体成形することは技術的に難しい。したがって、図９に示すように、支持部材をリード３６より下側の部分と上側の部分とを分けて成形することが多い。
【０００７】
各構成部材を正確な位置に取り付けるために、支持部材３２には、各構成部材の取り付け位置を形成している。すなわち、レンズ３３の位置決め部３２ｂを設けることでレンズ３３の取り付け精度を高め、撮像素子３５の取り付け部３２ｃを設けることで撮像素子３５の取り付け精度を高めている。また、接着材３７を注入する部分を凹部とすることで、接着材３７によって撮像素子３５が持ち上げられることがないようにしている。また、各構成部材の取り付け精度を高めることで、レンズ３３の焦点を調整するための機構をなくすとともに、図７に示したレンズバレル２１とレンズホルダ２３とに相当する部分を支持部材３２として一体化し、構成部材数の低減をも図っている。
【０００８】
図９は、上記のように構成された撮像装置の合焦性能に影響を及ぼす組立誤差の要因を示す。前述のように、支持部材３２とリード３６のように物理的特性が著しく異なる部材を一体成形することは技術的に難しい。したがって、ここでは、支持部材を、リード３６より下側の部分と上側の部分とに分けて構成した場合について説明する。まず、レンズ３３の曲率半径等の誤差から生じるＢｆ誤差があり、この誤差をΔＡにて表す。撮像装置の小型化を図る場合、撮像素子３５をセラミックパーケージなどに入れず、半導体のウェハをそのまま用いる。そこで、撮像素子３５のウェハの厚みの誤差をΔＣとし、支持部材３２の寸法の誤差をΔＤとし、撮像素子３５と取り付け部３２ｃとの間の隙間の誤差をΔＥとし、レンズ３３と支持部材３２との接着材の層の厚さをΔＦとする。また、凹部に入る接着材３７の量が少なくて、撮像素子３５が取り付け部３２ｃより浮くことがなければ、誤差ΔＥは、０とすることができる。支持部材３２の上側部分と下側部分を接着する際に、上側部分と下側部分との接合部には、接着材の層３９の誤差ΔＧを生じる。上記の誤差はすべて合焦性能に影響を及ぼす。焦点調整を必要としない上記構成による撮像装置を実現するためには、いま合焦性能として許容される焦点深度をΔδとした場合、前記誤差の合計ΔＴ＝ΔＡ＋ΔＣ＋ΔＤ＋ΔＦ＋ΔＧをΔδより小さくする必要がある。したがって、上記ばらつきΔＡ、ΔＣ、ΔＤ、ΔＦ及びΔＧを正確に管理する必要があり、各部材の寸法管理や組み立てに高い精度を要するという問題があった。
【０００９】
図１０は、特開平９−１２１０４１に開示された他の従来例を示し、これは焦点調整を必要としないように構成されている。４０はレンズ、４１はレンズ取り付け部材、４２は脚、４３は位置決め用傾斜面、４４は撮像素子、４５は紫外線硬化樹脂（以後、ＵＶ硬化樹脂と称す）、４６は基板である。本撮像装置では、被写体からの光像を集光するレンズ４０と、レンズ４０を取り付けて支持する部分（レンズ取付部材４１）とを一体化させ、レンズ４０の合焦方向への取付誤差の低減を図っている。また、位置決め用傾斜面４３を用いて、レンズ４０の光軸を撮像素子４４の有効画素領域の中心と一致させているが、図１１に示すように位置決め用傾斜面が傾斜しているので、レンズ４０の光軸と撮像素子１の法線がずれる、いわゆる「θずれ」の問題が生じ易い。そのためレンズ部材の取付作業には、微調整機構を有する取付装置を必要とする。
【００１０】
さらに、図１０及び図１１に示した従来の撮像装置では、光学系におけるレンズ４０とそれを支持する機構部（レンズ取付部材４１および脚４２）との間の取付誤差を無くすために、それら部材を一体化している。しかし、一体化のためには各部材４０、４１、４２、４３を一体成形する必要がある。さらに、光を集光するためのレンズ４０だけを透明とし、他の部分を遮光しなければ光ノイズが発生する。したがって、一体成形した後に、レンズ４０以外の部分を黒色に塗装する後工程を必要とする。
【００１１】
また、レンズ４０の部分には透明な材料（例えばアクリル（ＰＭＭＡ））を用い、他の部分には黒色の材料を用いて、２色成形を行うことで製作できるが、レンズ４０のように、その曲率半径に精度を要する光学部材を２色成形で製作することは、技術的にきわめて困難であり、高い量産技術を要するという問題がある。
【００１２】
【発明が解決しようとする課題】
従来の撮像装置は、以上のように構成されていたので、量産時には、撮像装置を組み立てる際に、個別に、焦点調整を行う必要があり、量産効率が低いという問題があった。
【００１３】
また、焦点調整を行うので、撮像装置の構成部材が多くなるという問題があった。
【００１４】
更に、焦点の無調整化を図るためには、構成部材の成形精度を上げるとともに、各部材の組立作業に高い精度を要するという問題があった。
【００１５】
更に、正確に合焦させる目的で、光学系のレンズとホルダとを互いに対して正確に位置決めするには、レンズとホルダとの一体成形など、量産技術として困難な製造を行う必要があった。
【００１６】
更に、レンズとホルダを一体成形で製作した場合、光学的ノイズの問題を解決するために、ホルダの部分を遮光するための後工程（例えば、黒色塗料を塗布）を必要としたり、２色成形など量産技術として困難な製造を行う必要があった。
【００１７】
更に、撮像素子の下側に基板を配置するので、撮像装置の大きさを決める要素には、光学系から定まる光学的寸法だけでなく基板の厚みも含まれるという問題点があった。
【００１８】
更に、従来の構成では、撮像素子の一部に光学ホルダを接触させる構造の場合、基板を取り付ける位置を自由に選択できないという問題点があった。
【００１９】
本発明は以上のような問題点を解決するためになされたもので、構成部材の点数を減らし、且つ組立誤差を低減し、焦点の無調整化を図った量産性の高い小型の撮像装置を得ることである。
【００２０】
【課題を解決するための手段】
請求項１に記載の撮像装置は、
対向する第１の表面と第２の表面を有するとともに前記第１の表面内の一部に撮像面を有する撮像素子と、
被写体からの光像を前記撮像素子の撮像面で結像させるための光学系と、
前記撮像素子に電気的に接続されかつ前記撮像素子の撮像面が露出する開口部を有するフレキシブル基板と、
前記光学系直接当接する第１の当接部と、前記第１の表面に対向する第３の表面と、前記第３の表面から突出する２つの第２の当接部とを有する支持手段とを有し、前記第２の当接部は、前記開口部に進入して前記第１の表面に直接当接し、前記フレキシブル基板が、前記第１の表面と前記第３の表面との間に位置して接着材により前記支持手段に固定されることを特徴とする。
【００２１】
請求項２に記載の撮像装置は、請求項１に記載の装置において、前記撮像装置は光学系保持部材を更に含み、前記光学系が前記光学系保持部材と前記支持手段との間に挟持されて固定されるように、前記光学保持部材が前記光学系と前記支持手段とに係合する。
【００２５】
請求項３に記載の撮像装置は、請求項１に記載の撮像装置において、前記撮像装置が撮像素子保持手段を更に含み、前記撮像素子が前記撮像素子保持手段と前記支持手段との間に挟持されるように、前記撮像素子保持手段が前記第２の表面と前記支持手段とに係合する。
【００２６】
請求項４に記載の撮像装置は、請求項１に記載の撮像装置において、前記支持手段と前記基板及び前記撮像素子保持手段は接着材により互いに固定され、前記接着材が、前記第２の当接部と前記第２の当接部に当接する前記第１の面とを除く部分に塗布される。
【００２８】
【発明の実施の形態】
実施の形態１．
図１は、本発明による撮像装置の構成を示す。図１において、１は固体デバイスであるＣＣＤ（Ｃｈａｒｇｅ  Ｃｏｕｐｌｅｄ  Ｄｅｖｉｃｅ）センサやＣＭＯＳ（Ｃｏｍｐｌｉｍｅｎｔａｒｙ  Ｍｅｔａｌ  Ｏｘｉｄｅ  Ｓｅｍｉ−ｃｏｎｄｕｃｔｏｒ）センサ等の撮像素子、１ａは撮像素子内にて光電変換を行う有効画素領域、２は基板、３は光学系、４は前記光学系３を支持するホルダ、５はホルダ４に対して光学系３を固定するバレル、６は前記撮像素子１をホルダ４に対して固定するセンサ支持板、７は赤外線カットフィルタである。
【００２９】
図２（ａ）と図２（ｂ）は、図１に示した撮像装置の光学系３、ホルダ４及びバレル５の外部形状を示す。図２（ｃ）と図２（ｄ）は、内部形状を示す。図２（ｃ）は、図１に示した構成図に対応する。
【００３０】
図１において、撮像素子１はベアチップ（半導体ウェハから切り出したもので、パッケージを有しない）であり、その上面に、光学系３によって結像した被写体の光像を電気信号として変換する有効画素領域１ａと、撮像素子１以外の回路と電気的に結合するための電極１ｂとを有する。図３（ａ）は撮像素子１と基板２との接合部の拡大図である。図３（ｂ）は、図３（ａ）の矢印Ｃ方向からみた図である。小型で薄型の撮像装置を構成しようとする場合は、薄膜のフレキシブル基板（ＦＰＣ：Ｆｌｅｘｉｂｌｅ  Ｐｒｉｎｔｅｄ  Ｃｉｒｃｕｉｔ  ｂｏａｒｄ）を用いて、薄型の基板２を実現する。例えばポリイミド基板を用いることにより５０μｍ〜８０μｍ程度の厚みの基板が実現できる。本発明では基板の種類、材質は特に問わない。基板２は、開口部２ａを有しており、その開口部２ａ内に撮像素子１の有効画素領域１ａが露出するように、撮像素子１と基板２とが接合されている。基板２上に配線された回路線２ｂが、撮像素子１内に形成した回路の出力端子である端子部１ｂに対して、銅バンプを介して接合される（ＣＯＦ：Ｃｈｉｐ  Ｏｎ  ＦＰＣ）。これにより、基板２と撮像素子１との間の電気的な接続がなされる。有効画素領域１ａは基板２の開口部２ａを介して光学系３からの光像を受光する。
【００３１】
光学系３は、被写体からの光を集光して、撮像素子１の有効画素領域１ａ内で結像させるレンズ３ａと、前記レンズ３ａを他の部材に固定するのに必要な鍔３ｂとから構成されている。レンズ３ａと鍔３ｂとは、光学系３を作成する際に一つの部品として同一部材で成形されている。ホルダ４は前記光学系３、赤外線カットフィルタ７及び撮像素子１を支持する手段である。また、ホルダ４は、被写体像以外の光を遮光するための役割も果たしており、外光を遮断する目的で、光を通さない黒色の材料、例えば、ポリカーボネイド（ＰＣ）などで製作される。バレル５は、ホルダ４上に配置した光学系３を上から保持するための手段であり、ホルダ４と同様に光を通さない黒色の材料にて製作される。赤外線カットフィルタ７は、撮像素子１の分光感度特性と人間の比視感度特性（ｓｐｅｃｔｒａｌｌｕｍｉｎｏｕｓ  ｅｆｆｉｃｉｅｎｃｙ）を合わせるための感度補正フィルタである。通常は色ガラスや、透明ガラス上に色フィルタを蒸着することで実現している。センサ支持板６は、ホルダ４に対して撮像素子１を保持及び固定するための板である。
【００３２】
図４は、図１に示した撮像装置を構成している各手段を示す分解図である。光学系３は光学性能に影響を与えない鍔３ｂをホルダ４の接触面４ｃに対して接触させる。光学系３を基準として考えた場合、合焦性能に関する距離であるフランジバックの基準位置は、光学系３の鍔３ｂの接触面３ｃとなり、接触面３ｃから有効画素１ｂまでの距離がフランジバックとなる。上記鍔３ｂは接触面３ｃを平面にて形成することができ、その部分をホルダ４の接触面４ｃに押し当てることで容易にホルダ４に取り付けることができ、また取り付け誤差が生じない。
【００３３】
ホルダ４側にも、光学系３との接触面４ｃを設け、光学系３の接触面３ｃとホルダ４の接触面４ｃとの接合部分には、どんな部材も介在させず、直接それぞれの接触面を互いに当接させる。したがって、ホルダ４と光学系３は、単に接合しているだけであり、接着等による固定はされていない。
【００３４】
バレル５は、ホルダ４上に配置された光学系３に対して上から覆い被さるように取り付けられ、バレル５の部位５ａと５ｂ（図４）にて、ホルダ４に固定される。部位５ａに塗布された接着部材（黒帯で示す部分）により、バレル５と光学系３とを接着する。また、部位５ｂに塗布された接着部材により、バレル５とホルダ４とを接着する。光学系３とホルダ４は、それぞれの接触面３ｃと接触面４ｃが互いに接触した状態で固定される。また、ホルダ４には、接着の際、余剰分の接着材が逃げていくように逃げ溝４ｄを設けている。さらに、バレル５は開口部（アパーチャ）５ｃを有し、前記開口部５ｃを通して、撮像に必要な被写体の光像を入射させ、光学的絞りの役割を果たす。
【００３５】
また、上記部位５ａと５ｂに塗布する接着材は、光学系３やホルダ４側に塗布してもよい。この場合、光学系３の接触面３ｃとホルダ４の接触面４ｃとの間に接着材が入り込まないような位置に接着材を塗布すれば同じ効果が得られる。
【００３６】
光学系３、バレル５及びホルダ４を上記のように構成することにより、図１０に示した従来例のような、量産には不向きな、若しくは、高い量産技術を必要とする一体成形や２色成形などを行わずに、合焦性能に影響する取付誤差を生じない構成を実現できる。また、光学系３の光軸が、撮像素子１の撮像領域である有効画素領域１ａの中心点を通過するように、光学系３を位置決め（図４のＸＹ方向。Ｙは紙面に対して垂直な方向）するためには、例えば、バレル５の内側の形状や寸法、光学系３の外周寸法（鍔３ａ部）およびホルダ−５のバレル５との接触面の寸法を互いに整合させておけば、光軸を合わせる作業を特に必要としない。また、図１１に示した従来技術において生じやすいθずれの問題も生じない。
【００３７】
赤外線カットフィルタ７は、ホルダ−５に対して接着材で接着される。赤外線カットフィルタ７のＺ方向の位置精度は合焦性能に影響しないのでその説明は略す。
【００３８】
図５は撮像素子１を取り付ける方向から見たホルダ４示す。ホルダ４は、撮像素子１を支持する手段となる２つの凸部４ａを有している。前記凸部４ａが基板２の開口部２ａを通って、有効画素領域１ａを除く撮像素子１上の領域に接触する。凸部４ａと撮像素子１との接触面には、接着材等どんな部材も介在させない。上記のように撮像素子１を支持する手段を凸形状（４ａ）とすることで、基板３を介さず撮像素子１に直接接触させることが可能となり、基板３の厚みのばらつきに関係なく、合焦性能を左右する部品の位置決めを行うことができる。上記の構造により、撮像素子１の有効画素領域１ａの側に配置された基板が、凸部４ａよりも光学系３に近づく。したがって、基板の厚みは、撮像装置の光軸方向の寸法に影響しないから、撮像装置の小型化を図る場合に有利となる。
【００３９】
センサ支持板６は、ホルダ４の下部に配置された撮像素子１および基板２を下から固定するために取り付けられる。センサ支持板６の周囲（図１の４ｂ）に塗布された接着材により、撮像素子１、ホルダ４及びセンサ支持板６を互いに接着させる。また、基板２とホルダ４間の部位に塗布された接着材により、基板２とホルダ４とを接着する。センサ支持板６が、ホルダ４と撮像素子１とに、接着されて固定することにより、前記撮像素子１はその上部をホルダの凸部４ａに押し当てられたまま固定される。
【００４０】
図６は、合焦性能に影響を及ぼす種々の誤差を示す。成形時に生じる光学系２の寸法の誤差に起因するＢｆの誤差をΔＡとする。光学系３とホルダ４との間は、従来技術のような接着材で接合せず、当接させているだけなので、従来技術のように接着材の厚みによるＺ軸方向の取付誤差は生じない。また、ホルダ４と撮像素子１の上面とを当接させているだけで接着材を使用しないので、従来技術のような接着材の厚みによるＺ軸方向の取り付けの誤差は生じない。
【００４１】
赤外線カットフィルタ７は、レンズ部３ａから撮像素子１の有効画素領域１ａまでの間のどの位置に設けても、光学的に結像条件に影響を与えないので、赤外線カットフィルタ７の取付誤差は合焦性能に影響を与えない。したがって、赤外線カットフィルタ７の厚みのばらつきのみが合焦性能に影響を与えることになる。赤外線カットフィルタ７の厚みの誤差を、赤外線カットフィルタ７の屈折率を考慮して空気換算したときの値をΔＢとする。
【００４２】
次に、撮像素子１の厚みのばらつき（撮像素子１底面から有効画素領域１ａまでの高さ）をΔＣとする。ホルダ４の当接面４ｃ（又はレンズの接触面３ｃ）から、凸部４ａが撮像素子に当接する面までのホルダの寸法の誤差をΔＤとする。本構成では、撮像素子１の上面側にホルダ４を押し当てているので、Ｂｆはレンズ部３ａから有効画素１ａ領域までの距離で決まり、撮像素子１の厚みの誤差ΔＣおよび基板２の厚みの誤差は、合焦性能に関する誤差として加算されない。したがって、合焦性能に影響を与える誤差は（ΔＡ＋ΔＢ＋ΔＤ）となり、（ΔＡ＋ΔＢ＋ΔＤ）の値が光学系２の焦点深度Δδより小さければ焦点調整をする必要がない。
【００４３】
上述した個々の誤差について述べる。小型で且つ薄型の撮像装置を構成する目的で、例えば、光学系３の画角を標準的な５０〜５５度に選び、撮像素子１の有効画素領域１ａの大きさを１／５〜１／７インチの光学系サイズとすると、そのレンズの厚みは数ｍｍ程度となる。したがって、光学系３の寸法の誤差から、ΔＡは±１０〜２０μｍ程度であると想定される。また、Ｂｆは上記光学系３の場合は、２〜４ｍｍ程度であり、光学系３から撮像素子１上面までのホルダ４の寸法は上記Ｂｆにほぼ等しい。同様に、ホルダ４の寸法の誤差は±１０〜２０μｍが想定される。金型などを使って射出成形する際に、上記寸法誤差には、射出成形材料の線膨張係数のばらつきなどが含まれる。赤外線カットフィルタ７の厚みを０．５５ｍｍとして厚みばらつきを±２０μｍと予測する。赤外線カットフィルタ７は、ガラスで製作されることが多い。ガラスの屈折率はｎ＝約１．５である。よって誤差ΔＢは、約±６．７μｍとなる。
【００４４】
例えば、数値の一例を示すと、誤差の最大値は下記のようになる。
ΔＡ＋ΔＢ＋ΔＤ＝±２０±６．７±２０＝±４６．７μｍ
一方、本撮像装置の焦点深度の概算は、光学系のＦ値（明るさ）と最小錯乱円の大きさによって算出できる。撮像素子１の場合、最小錯乱円は、画素の大きさに置き換えることができる。したがって、いま、Ｆ値を２．８、撮像素子１の画素の大きさを２０μｍとすると、焦点深度＝±２．８×２０μｍ＝±５６μｍとなる。この計算による焦点深度は、撮像装置の合焦に寄与する最大誤差±４６．７μｍよりも大きいので、充分に合焦した画像を撮像することが可能である。上記数値は一例であり、Ｆ値、画素の大きさ、光学系の画角や撮像素子の大きさは上記に限るものではない。
【００４５】
図６（ｂ）は、図８に示す従来の撮像装置に、本発明と同様の赤外線カットフィルタ３４を設けた場合の合焦誤差の要因を示す。従来技術では、また、リードと支持部材３２との一体成形が困難である場合に生じる、支持部３２と基板８との接着材の厚みの誤差ΔＧを加味すればさらに全体の誤差は大きくなる。例えば、レンズ３３のＢｆの誤差ΔＡを±１０〜２０μｍ、支持部材３２の寸法誤差ΔＤを±１０〜２０μｍと仮定する。また、凹部に入る接着材の量が少なくて、撮像素子１が取り付け部３２ｃより浮くことがなければ、誤差ΔＥは、ゼロとすることができる。基板面をホルダに当接することで、撮像素子１を位置決めするので、撮像素子１の厚み４００μｍに対して、その厚み誤差ΔＣ＝±３０μｍが生じる。レンズ３３と支持部材３２との接着材の層の誤差ΔＦは数μｍ以下である。いまΔＦを４μｍと仮定すると、合焦誤差の最大値は下記のようになる。
ΔＡ＋ΔＢ＋ΔＣ＋ΔＤ＋ΔＦ
＝±２０±６．７±３０±２０±４μｍ
＝±８０．７μｍ
【００４６】
本実施の形態による撮像装置はレンズ３３と支持部材３２との間の接着材による誤差ΔＦが生じない。さらに、撮像素子１は、フリップチップ実装されているので有効画素領域１ａが形成される面が、撮像素子１の取付の基準となる。したがって、撮像素子１の厚みの誤差ΔＣは、合焦性能として影響を与える誤差に加算されない。よって、本実施の形態に示す撮像装置による構成では、合焦性能に影響を与える誤差が大幅に小さくなり、合焦調整をするための手段を必要としなくなる。また、従来の構成よりも緩やかな組立精度で、合焦調整を実現できる。
【００４７】
また、撮像素子１、ホルダ４及びセンサ支持板６を互いに固定する接着材として、紫外線によって硬化するＵＶ硬化材を用いてもよい。ＵＶ硬化材は低温にて高速で硬化するので、組立作業中に上記各部材間の位置ずれが生じにくい。また、ＵＶ硬化時に接着材自体の収縮が小さいので、さらに上記各部材間の位置ずれが生じにくい。また、熱収縮が小さく、耐熱性が大きいので、熱の影響を受けにくい撮像装置を得ることができる。ＵＶ硬化材は、図１の４ｂに示す個所に塗布し、その後ＵＶ照射を行うことで硬化し、各部材を相互に固定することができる。
【００４８】
上記のように撮像装置を構成することによって、焦点調整を行う機構が不要となるので、構成する部品点数を少なくすることができる。
【００４９】
また、本発明では光学系２ａのレンズ形状は両凸レンズであるが、レンズ形状を凹と凸との組み合わせで構成しても問題ない。
【００５０】
本発明では、保持手段であるバレル５を、光学系３とホルダ４とに接着することで、光学系３とホルダ４とを固定した。しかし、接着材を用いずに、バレル５、ホルダ４及び光学系３の間の寸法をよく整合させて、バレル５をホルダ４に圧入させることにより嵌合させてもよい。
【００５１】
【発明の効果】
本発明の撮像装置は、以下のような効果を奏する。
請求項１に記載の撮像装置は、
対向する第１の表面と第２の表面を有するとともに前記第１の表面内の一部に撮像面を有する撮像素子と、
被写体からの光像を前記撮像素子の撮像面で結像させるための光学系と、
前記撮像素子に電気的に接続されかつ前記撮像素子の撮像面が露出する開口部を有するフレキシブル基板と、
前記光学系直接当接する第１の当接部と、前記第１の表面に対向する第３の表面と、前記第３の表面から突出する２つの第２の当接部とを有する支持手段とを有し、前記第２の当接部は、前記開口部に進入して前記第１の表面に直接当接し、前記フレキシブル基板が、前記第１の表面と前記第３の表面との間に位置して接着材により前記支持手段に固定されることを特徴とするので、
合焦精度に起因する誤差要因を削減し、焦点の無調整化を実現できる。また、組み立て時に焦点調整を行う必要が無いので、量産効率をあげることができる。さらには焦点調整に必要な機構部が不要なので、構成部品の低減化を行うことができる。また、支持手段を撮像素子に直接接触させて位置決めすることが可能となり、基板の厚みばらつきに関係なく、合焦性能に関する寸法の位置決めを行うことができ、かつ従来の撮像装置の構成に比べ基板の厚み分の高さを削減することで撮像装置の小型化が図れる。
【００５２】
請求項２に記載の撮像装置は、請求項１に記載の装置において、前記撮像装置は光学系保持部材を更に含み、前記光学系が前記光学系保持部材と前記支持手段との間に挟持されて固定されるように、前記光学保持部材が前記光学系と前記支持手段とに係合する。したがって、簡単な構成でレンズをホルダーに固定保持することができるとともに焦点の無調整化を図ることができる。
【００５６】
請求項３に記載の撮像装置は、請求項１に記載の撮像装置において、前記撮像装置が撮像素子保持手段を更に含み、前記撮像素子が前記撮像素子保持手段と前記支持手段との間に挟持されるように、前記撮像素子保持手段が前記第２の表面と前記支持手段とに係合する。したがって、簡単な構成で撮像素子をホルダーに固定保持することができる。
【００５７】
請求項４に記載の撮像装置は、請求項１に記載の撮像装置において、前記支持手段と前記基板及び前記撮像素子保持手段は接着材により互いに固定され、前記接着材が、前記第２の当接部と前記第２の当接部に当接する前記第１の面とを除く部分に塗布される。したがって、撮像素子とホルダーとを強く固定保持することができる。
【図面の簡単な説明】
【図１】  本発明による撮像装置の構成を示す図である。
【図２】  （ａ）から（ｄ）は、本発明による撮像装置の構成を示す外形図および内部の構成を示した図であり、（ａ）は平面図、（ｃ）は（ａ）の線ｃ−ｃに沿ってみた断面図、（ｂ）は（ａ）の矢印Ｂの方向からみた側面図、（ｄ）は、（ａ）の線ｄ−ｄに沿ってみた断面図である。
【図３】  （ａ）と（ｂ）は本発明による撮像素子と基板の構成を示し、（ａ）は側面図、（ｂ）は（ａ）の矢印Ｃの方向からみた平面図である。
【図４】  本発明の撮像装置の分解側面断面図である。
【図５】  撮像素子を取り付ける方向からみたホルダを示す図である。
【図６】  （ａ）と（ｂ）は合焦性能に影響を及ぼす撮像装置の誤差要因を示し、（ａ）は本発明の例を示し、（ｂ）は図８の従来技術の構成に本発明の赤外線フィルタを設けた場合を示す。
【図７】  従来技術による撮像装置の構成を示した図である。
【図８】  従来技術による撮像装置の他の構成を示した図である。
【図９】  図８に示した撮像装置の合焦性能に影響する各部の寸法誤差を示した図である。
【図１０】  従来技術による撮像装置の更に他の構成を示す。
【図１１】  図１０に示す撮像装置の取付誤差を示す。
【符号の説明】
１  撮像素子、  １ａ  有効画素領域、１ｂ  端子部、２  基板、  ２ａ  開口部、  ２ｂ  回路線（リード）、  ３  光学系、  ３ａ  レンズ、  ３ｂ  鍔、  ３ｃ  接触面、  ４  ホルダ、  ４ａ  凸部、  ４ｂ  ＵＶ硬化型接着材、４ｃ  接触面、  ４ｄ  逃げ溝、  ５  バレル、  ５ａ  接着部位（光学系との接着）、  ５ｂ  接着部位（ホルダとの接着）、  ６  センサー支持板、  ７赤外線カットフィルタ、  ２０  レンズ、  ２１  レンズバレル、  ２１ａ  ネジ部（レンズバレル）、  ２２  後絞り手段、  ２３  レンズホルダ、  ２３ａ  ネジ部（レンズホルダ）、  ２３ｂ  位置決め部、  ２４  赤外線カットフィルタ、  ２５  撮像素子、  ２５ａ  有効画素領域、  ２５ｂ  ボンディングワイヤ、  ２５ｃ  リード、  ２６  基板、  ３０  絞り板、  ３０ａ  入射孔（絞り孔）、  ３１  フィルタ、  ３２  支持部材、  ３２ａ  位置決部（絞り板用）、  ３２ｂ  位置決部（レンズ用）、  ３２ｃ  位置決部（撮像素子用）、  ３３  レンズ、  ３４  赤外線カットフィルタ、  ３５  撮像素子、  ３５ａ  有効画素領域、  ３５ｂ  ボンディングワイヤ、  ３６  リード、  ３７  接着材、  ３９  接着材の層
【図１】
0003821652.tif 000002
【図２】
0003821652.tif 000003
【図３】
0003821652.tif 000004
【図４】
0003821652.tif 000005
【図５】
0003821652.tif 000006
【図６】
0003821652.tif 000007
【図７】
0003821652.tif 000008
【図８】
0003821652.tif 000009
【図９】
0003821652.tif 000010
【図１０】
0003821652.tif 000011
【図１１】
0003821652.tif 000012